(57)【要約】  【課題】  アンテナの方向を簡易に調整することが可能なアンテナ方向調整方法を提供する。  【解決手段】  アンテナを有する固定通信用無線機にカメラを内蔵し、該カメラのモニタ画面の特定範囲に相手無線局を映すように前記固定通信用無線機の向きを変えることを特徴とする。【選択図】  図１
2005072780.tif 000002
【特許請求の範囲】
【請求項１】
アンテナを有する固定通信用無線機にカメラを内蔵し、該カメラのカメラ画像をモニタするモニタ画面の特定範囲に相手無線局を映すように前記固定通信用無線機の向きを変えることを特徴とするアンテナ方向調整方法。
【発明の詳細な説明】
【技術分野】
【０００１】
本発明は、アンテナを有する固定通信用無線機の設置時のアンテナ方向調整方法に関する。
【背景技術】
【０００２】
従来、高周波帯特にミリ波帯のように、アンテナの指向性が鋭く、相手局のアンテナとの方向調整を実施する場合に、ミラーを使った位置の視認や目視による概略位置決めをし、実際に電波を発射し無線機による受信レベルが高くなるようにアンテナの方向を調整している（文献公知発明に係るものではない）。また時にはファインダースコープなどで覗くことも実施している（文献公知発明に係るものではない）が、接眼の位置によっても視野が変わり正確でない。このため試験電波の発射、高周波測定器などの準備が必要であり、容易に方向を決めることが困難である。
【発明の開示】
【発明が解決しようとする課題】
【０００３】
本発明の課題は、アンテナの方向を簡易に調整することが可能なアンテナ方向調整方法を提供することにある。
【課題を解決するための手段】
【０００４】
本発明は、上記課題を解決するために、アンテナを有する固定通信用無線機にカメラを内蔵し、該カメラのモニタ画面の特定範囲に相手無線局を映すように前記固定通信用無線機の向きを変えることを特徴とする。
【発明の効果】
【０００５】
本発明によれば、アンテナの方向を簡易に調整することが可能なアンテナ方向調整方法を得ることができる効果を奏する。
【発明を実施するための最良の形態】
【０００６】
本発明に係る実施の形態について、以下、図を用いて説明する。
【０００７】
図１は本発明に係る第１の実施の形態の無線機の構成図である。図１において、固定通信用無線機１は、平面アンテナ２を有する無線機本体３にカメラ４を内蔵してなり、平面アンテナ２の指向軸２０１とカメラ４の光軸４０１が平行になるように固定されている。無線機本体３とカメラ４がインターフェース部５で接続され、インターフェース部５は端子６と接続されている。ここで、固定通信用無線機１は雲台７に搭載されている。
【０００８】
以上の構成において、カメラ４のカメラ画像をモニタするモニタ画面の特定範囲例えば画面の中央に相手無線局の全部若しくは一部を映すように、固定通信用無線機１の向きを雲台７に対して変える。このことで、自局の平面アンテナ２の指向軸２０１の延長線上に、相手局のアンテナを対峙させることができる。
【０００９】
相手局の同様な調整を実施した場合には指向軸が一致することになり、アンテナ間の結合が蜜になる。
【００１０】
次に、インターフェース部５について説明する。インターフェース部５は無線機本体３と信号をやりとりする信号変換部５０１と、信号変換部５０１とカメラ４とを制御するＨＵＢ５０２から構成してなる。
【００１１】
固定通信用無線機１の変復調信号であるベースバンド信号は、信号変換部５０１で例えば１０ＭＡＳＥあるいは１００ＢＡＳＥなどの外部インターフェースのＬＡＮ対応信号に変換され、ＨＵＢ５０２で結合し、端子６から出力して、Ethernet（登録商標）回線に伝送する。
【００１２】
一方、カメラ４としてのＷＥＢカメラ、ＩＰカメラはＬＡＮとの整合性も良くなっておりＬＡＮ構成が簡単であるが、携帯電話に搭載される超小型ＣＣＤカメラモジュールの画像データでもエンコーダで変換できれば、容易にＬＡＮ構成することは可能である。
【００１３】
当然ＷＥＢカメラのようにＨＵＢ５０２で容易に端子６に信号として送出できるため、ＬＡＮ上からカメラ４のズーム制御や雲台７の制御もリモートで実現できるため、固定通信用無線機１を雲台７に搭載することにより、効果は大である。
【００１４】
すなわち、離れた所でカメラ画像を見ながら、リモートにて雲台７の制御を行えば、雲台制御信号により雲台７を可動させれば、固定通信用無線機１全体の方向を変えることができ、カメラ４のモニタ画面の特定範囲例えば画面の中央に相手無線局の全部若しくは一部を映すように操作すれば、平面アンテナ２の方向が自然と設定される。すなわち相手局との通信回線が構成できることとなる。
【００１５】
なお、平面アンテナ２と固定通信用無線機１は一体化されておらず、分離できる場合は当然平面アンテナ２のみを雲台７で制御すればよい。
【００１６】
また、カメラ４のカメラ画像は、平常時は固定通信用無線機１の前面の監視画像として使用することにより、無線回線の気象状況から相手局と通信を行うことができるか否かの把握に用いることができる。
【００１７】
図２は本発明に係る第２の実施の形態を説明する概略構成図である。本実施の形態はアンテナのみを高所に設置する場合で、アンテナ指向軸とカメラ光軸とが平行になるようにアンテナ２′とカメラ４′を取り付けた電動ポール８の例であり、カメラ４′の画像を有線若しくは無線で地上に伝送する。
【００１８】
地上にてその画像を見ながら電動ポール８を回転すれば、アンテナ２′の指向軸が向いているポイントが把握でき、アンテナ２′を上下方向にも向ける必要がある場合は、第１の実施の形態のように、雲台にアンテナ２′とカメラ４′を固定し、地上から雲台の制御の制御をすれば良い。
【００１９】
図３は本発明に係る第３の実施の形態を説明する概略構成図である。本実施の形態は八木式アンテナへの適応例で、アンテナ２”を構成するエレメント２０１を固定するアーム２０２内に小型カメラ４”を内蔵し、カメラ４”の画像を有線若しくは無線で離れた位置で受像することにより、アンテナ２”の指向軸方向を容易に特定することができる。
【００２０】
以上説明したように、本発明の実施の形態によれば、固定通信用無線機若しくはアンテナにカメラを内蔵することによって、アンテナの方向調整が簡易に実施できるばかりでなく、平常時は相手局を目視する監視カメラとして、気象状況から相手局と通信を行うことができるか否かの把握に用いることができるなどその効果は大きい。一部のアンテナ対峙方式として、自局、相手局の位置情報から方向を計算してアンテナの方向を変えるもの、また相手局側の制御情報を別の無線システムを構築して伝送し、自局側を向けさせるものとは異なり、自局のみで方向調整をすることで、相互に対峙できるため、簡単な構成である。
【図面の簡単な説明】
【００２１】
【図１】本発明に係る第１の実施の形態の無線機の構成図である。
【図２】本発明に係る第２の実施の形態を説明する概略構成図である。
【図３】本発明に係る第３の実施の形態を説明する概略構成図である。
【符号の説明】
【００２２】
１：固定通信用無線機、２，２′，２”： アンテナ、２０１：エレメント、２０２：アーム、３：無線機本体、４，４′：カメラ、４”：小型カメラ、５：インターフェース部、５０１：信号変換部、５０２：ＨＵＢ、６：端子、７：雲台、８：電動ポール。
【図１】
2005072780.tif 000003
【図２】
2005072780.tif 000004
【図３】
2005072780.tif 000005